(57)【要約】【課題】胞子の付着性を高め且つ成長を促進することができ、そのため高収量を確保できるようにする。また、流失時の環境汚染を防止し、耐用期間経過後の処分も容易に安全に行えるようにする。【解決手段】水中に鉄イオンを溶出する鉄系物質の粉末を、樹脂糸状体に付着もしくは含有させることで栽培ネット用素材とする。典型的な例としては、マグネタイト粉末と樹脂を混合し溶融紡糸した単糸を、複数本撚り合わせてなる栽培ネット用素材がある。その場合、例えば粒径１００μｍ以下のマグネタイト粉末を樹脂に対して２０〜５０ｗｔ％配合して糸径１ｍｍ以下に紡糸されている単糸を、５〜２０本程度撚り合わせた撚糸が好ましい。樹脂としては、ポリエチレンなどの他、生分解性樹脂を用いることもできる。【選択図】      図１
2005006537.tif 000002
【特許請求の範囲】
【請求項１】
水中に鉄イオンを溶出する鉄系物質の粉末を、樹脂糸状体に付着もしくは含有させてなる栽培ネット用素材。
【請求項２】
マグネタイト粉末と樹脂を混合し溶融紡糸した単糸を、複数本撚り合わせて撚糸とした栽培ネット用素材。
【請求項３】
粒径１００μｍ以下のマグネタイト粉末を樹脂に対して２０〜５０ｗｔ％配合して糸径１ｍｍ以下に紡糸した単糸を、５〜２０本撚り合わせて撚糸とした請求項２記載の栽培ネット用素材。
【請求項４】
樹脂が生分解性樹脂である請求項１乃至３のいずれかに記載の栽培ネット用素材。
【発明の詳細な説明】
【０００１】
【発明の属する技術分野】
本発明は、植物の成長を促進する機能を付加した栽培用ネットの素材に関し、更に詳しく述べると、水中に鉄イオンを溶出する鉄系物質の粉末を、樹脂糸状体に付着もしくは含有させてなる栽培ネット用素材に関するものである。この素材は、特に限定されるものではないが、海苔などの海藻類の養殖網に有用である。
【０００２】
【従来の技術】
【特許文献１】
特開平１０−１６５０２２号公報
【特許文献２】
特開平７−２２７１７２号公報
【０００３】
周知のように、近年、海苔などの海藻類の養殖には、専ら樹脂製素材からなる養殖網（栽培ネット）が使用されている。高収量を得るために、素材や編み方などについて様々な検討が行われてきた。
【０００４】
海苔養殖網の素材としては、ビニロン糸が多く用いられている。その理由は、湿式紡糸により得られるビニロン糸は表面に凹凸を有し、そのため海苔胞子の付着性が向上することによるとされている。またビニロン糸の強度不足を補うために、ポリプロピレンやポリエチレンなどと組み合わせることも行われている。
【０００５】
しかし、このような海苔養殖網の素材は、事故などにより流失した場合や廃棄（焼却や埋め立て）処分の際などにおける環境汚染の影響が大きい。その点を解決するため、生分解性樹脂を溶融紡糸して得た、表面に凹凸を有する海苔網用素材が提案されている（特許文献１参照）。糸表面に凹凸を形成するには、生分解性樹脂に発泡剤を混ぜて溶融紡糸する方法などが開示されている。
【０００６】
また、ワカメなどの海産物育成装置として、透水性、通気性を有するポーラス状成形品からなり、それに金属イオン、鉄分、カルシウムイオン、カルシウム成分などの海産物の生息に適する成分を含ませた構造が提案されている（特許文献２参照）。ここでポーラス状成形品は、樹脂よりなるバインダに鉄分又はカルシウムなどを有する粒砕石、貝殻、鉄片を混練してブロック状などに成形することで製造される。
【０００７】
【発明が解決しようとする課題】
海藻の成長は天候によって大きく左右される。従って、安定した高収量を確保するためには、胞子の付着性を高め且つ成長を促進することが肝要となる。単に表面に凹凸を有する樹脂の糸は、胞子の付着性を高めることはできても成長促進には寄与し得ない。他方、ポーラス状の成形品は、海底に沈めて用いられるものであり、海苔の養殖には使用できない。
【０００８】
本発明の目的は、胞子の付着性を高め、且つ成長を促進することができ、そのため高収量を確保できる栽培ネット用素材を提供することである。本発明の他の目的は、特に海苔やもずくなど海藻類の養殖に有効な栽培ネット用素材を提供することである。本発明の更に他の目的は、環境負荷を軽減し、耐用期間経過後の処分も容易に安全に行えるような栽培ネット用素材を提供することである。
【０００９】
【課題を解決するための手段】
本発明は、水中に鉄イオンを溶出する鉄系物質の粉末を、樹脂糸状体に付着もしくは含有させてなる栽培ネット用素材である。鉄系物質とは、鉄、酸化鉄、その他の鉄系化合物をいう。
【００１０】
典型的な例としては、マグネタイト粉末と樹脂を混合し溶融紡糸した単糸を、複数本撚り合わせてなる栽培ネット用素材がある。その場合、例えば粒径１００μｍ以下のマグネタイト粉末を樹脂に対して２０〜５０ｗｔ％配合して糸径１ｍｍ以下に紡糸した単糸を、５〜２０本撚り合わせた撚糸が好ましい。樹脂としては、生分解性樹脂を用いることもできる。
【００１１】
【発明の実施の形態】
本発明の栽培ネット用素材は、水中に鉄イオンを溶出する鉄系物質の粉末を付着もしくは含有させた樹脂糸状体である。鉄系物質としては、イオン的に不安定で水中に溶出し易いものを用いる。例えばマグネタイト粉末が好ましい。鉄系物質粉末の粒径は１００μｍ以下とする。鉄系物質の粉末を糸状体に含有させるには、鉄系物質粉末と樹脂を混合して溶融紡糸する方法がある。その他、鉄系物質粉末と塗料とを混合し、紡糸した樹脂糸状体の表面に塗布することにより、鉄系物質の粉末を糸状体表面に付着させてもよい。
【００１２】
好ましい実施の形態は、マグネタイト粉末とポリエチレンなどの樹脂を混合し溶融紡糸した単糸を、複数本撚り合わせ撚糸とした栽培ネット用素材である。その場合、例えば粒径１００μｍ以下のマグネタイト粉末を樹脂に対して２０〜５０ｗｔ％配合して糸径１ｍｍ以下に紡糸されている単糸を用いることが好ましい。樹脂に練り込むマグネタイト粉末の粒径は、紡糸する糸の糸径に応じて調整する。単糸の糸径を０．３〜０．８ｍｍ程度、マグネタイト粉末の粒径を５０μｍ程度以下とし、それを５〜２０本程度撚り合わせた撚糸が好ましい。このような撚糸は特に海苔網など海藻養殖網の素材に適している。
【００１３】
このような撚糸を編んで海苔網を作製する。編み方は任意であってよい。マグネタイト粉末と樹脂を混合し溶融紡糸した単糸は、マグネタイト粉末の形状が反映されて糸表面が荒れた（ざらざらした）状態となる。それを撚り合わせることで凹凸が生じ表面積も増加する。これらによって、海苔の胞子が付着しやすくなる。更に、細い単糸を撚り合わせることで、水中に鉄イオンが溶出し易くなる。海藻は光合成を行っており、その光合成には鉄イオンが作用している。本発明の海苔網では、徐々に溶出する鉄イオンによって、海苔の成長が促進されることになる。つまり本発明では、胞子の付着性改善と付着後の成長促進の両方の作用で高収量の実現を図っているのである。
【００１４】
上記の例において、マグネタイト粉末を樹脂に対して２０〜５０ｗｔ％配合しているのは、マグネタイト粉末の量が少なすぎると磁性機能や鉄イオン溶出の効果が乏しくなり、逆にマグネタイト粉末の量が多すぎると糸の強度が低下するからである。また、マグネタイト粉末の粒径が大きすぎては紡糸し難く、糸の強度が低下する。糸が太すぎると撚り合わせがし難くなる。機械的強度の面からも、単糸よりも撚糸の方が屈曲性に優れており、厳しい波浪条件などにも耐えられる。このような点から、単糸の糸径を０．３〜０．８ｍｍ程度、マグネタイト粉末の粒径を５０μｍ程度以下とし、それを５〜２０本程度撚り合わせた撚糸が好ましいのである。
【００１５】
このような養殖網を魚礁に張り巡らせば、海藻の生育が良好となるために、魚類の養殖にも有効となる。更に、貧栄養水域に張り巡らすことで、水域を富栄養化できる。
【００１６】
鉄系物質を練り込む樹脂としては、ポリエチレンやポリプロピレンのような樹脂の他、ポリ乳酸などの生分解性樹脂を用いることもできる。生分解性樹脂は、使用中は通常の樹脂と同じように使えて、使用後は自然界（海水、淡水、あるいは土中）の微生物により水と炭酸ガスなどに分解され、自然に還る樹脂である。このような生分解性樹脂を用いることで、使用中に流失しても環境を汚染する恐れはないし、使用後は土中に埋め立てることで廃棄処分することができる。
【００１７】
鉄イオンを溶出する鉄系物質の粉末を付着もしくは含有させた生分解性樹脂糸状体を、単糸もしくは撚糸の状態で編んだ栽培ネットは、海藻の養殖用のみならず、草木の栽培用としても使用できる。鉄イオンの溶出によって植物の成長を促進でき、水分の担持の効果も得られる。従って、例えば、移送や植え替えなどの際に根を保護するために用いるネット、芝生や植生の定着のために用いる育成床用ネットなどにも有用である。
【００１８】
【実施例】
ポリエチレン樹脂（ＰＥ）とマグネタイト粉末（Ｆｅ３  Ｏ４  ）を混練し、直径５ｍｍ程度のマグネタイト入り樹脂紐状体を作製した。マグネタイト粉末の配合比は、０，２０，４０，６０，８０ｗｔ％の５種類とした。ここで、あえて直径の大きな紐状体としたのは、広い配合比率範囲にわたるマグネタイト混入の効果を調べるためである。これらの試料を汽水湖畔に沈めて流されないようにしっかりと固定し、約３ヶ月間放置し、その後引き上げて海藻の付着状況を調査した。
【００１９】
結果を図１に示す。マグネタイトの配合量が多いほど、海藻の付着量が多かった。これは、樹脂紐状体から鉄イオンが溶出し、それが海藻の光合成に寄与して生育が促進したためである。また、マグネタイトを含有していない（添加量が０ｗｔ％）試料では、殆ど海藻の付着がないことから、初期の胞子の付着にもマグネタイト添加の効果が現れている。
【００２０】
上記の実施例では、あえて直径が５ｍｍと比較的太い樹脂紐状体を用いたが、細い樹脂糸状体を撚り合わせて撚糸とし、編み込んで海苔網とすると、表面積が大きくなるため、胞子付着及び成長促進の効果は更に増大することになる。
【００２１】
【発明の効果】
本発明は上記のように、水中に鉄イオンを溶出する鉄系物質の粉末を、樹脂糸状体に付着もしくは含有させてなる栽培ネット用素材であるので、海苔やもずくなどの海藻胞子の付着性が高まり且つ成長を促進することができ、そのため高収量を確保できる。特に、マグネタイト粉末と樹脂を混合し溶融紡糸した単糸を、数〜従数本撚り合わせた撚糸とすると、凹凸も顕著となり表面積が増加し、胞子付着及び成長促進の効果は顕著となる。
【００２２】
また、樹脂として生分解性樹脂を用いると、使用期間経過後に処分する際には土中に埋め立てるだけで、またネット流失時でも、いずれは分解して消滅するため、環境を汚染する恐れもない。
【図面の簡単な説明】
【図１】マグネタイトの配合量と海藻の付着状況の実験結果を示す図。
【図１】
2005006537.tif 000003